(57)【要約】　　　（修正有）【課題】ウエスト調節が簡便な操作で行われ、かつ確実に調節ベルトを係止し得、金属探知機に反応せず、かつ軽量化されたウエスト調節具を提供すること。【解決手段】ウエスト調節具を調節ベルトとスライダーとから構成し、該調節ベルトには、表面に突出する調節突部が長手方向に複数個、一定間隔でほぼ垂直に配置されており、；該スライダーの側面には、該調節ベルトを挿通させるための挿通部が設けられ、前面には、透孔が設けられ、該透孔と裏面との間に形成された中空状の収納部には、ストッパーおよび押え板が備えられ、該調節ベルトがスライダー内に挿通された状態で、該押え板を係止開放位置に移動させて調節ベルトの係止を開放し、スライダーを移動させてベルトの長さを調整した後、押え板を係止位置に移動させて調節ベルトを係止するように構成する。【選択図】図５
2004044021.tif 000002
【特許請求の範囲】
【請求項１】
調節ベルトと、スライダーとを備えたウエスト調節具であって、
該調節ベルトには、表面に突出する調節突部が複数個、一定間隔で長手方向にほぼ垂直に配置されており、
該スライダーの側面には、該調節ベルトを挿通させるための挿通部が設けられ、前面には、透孔が設けられ、該透孔と裏面との間に形成された中空状の収納部には、ストッパーおよび押え板が備えられ、
該ストッパーは、弾性材料からなるプレートであって、その一端に該調節突部と係合し得るストッパー突起が設けられ、該ストッパー突起が該調節突部とスライダー内で係合するように、該収納部の壁内に固定されており、
該押え板は、調節ベルトを係止する係止位置および調節ベルトの係止を開放する係止開放位置に移動可能なように収納部に収納されており、
該調節ベルトがスライダー内に挿通された状態で、該押え板を係止開放位置に移動させて調節ベルトの係止を開放し、スライダーを移動させてベルトの長さを調整した後、押え板を係止位置に移動させて調節ベルトを係止するように構成されている、
ウエスト調節具。
【請求項２】
前記押え板が、前記スライダーにおいて、前記収納部の上部および下部の壁内に設けられた押え板内部移動溝に沿って移動する、請求項１に記載のウエスト調節具。
【請求項３】
前記スライダーにおいて、前記収納部の上部または下部の少なくとも一方の壁内にバネ受けとバネ受け突起が設けられ、そして、前記押え板の上部または下部の少なくとも一方にバネ受け孔が設けられ、該バネ受け突起に配置されたバネの一端が該バネ受け孔に収納された構成を有しており、該押え板を係止開放位置に移動させて調節ベルトの長さを調節した後、該押え板を強制的に係止位置に戻すように構成した、請求項１または２に記載のウエスト調節具。
【請求項４】
前記押え板が、前記スライダーの上面および下面に形成された押え板外部移動溝に沿って移動可能に構成されている、請求項１に記載のウエスト調節具。
【請求項５】
前記押え板の、ストッパーと当接しない面にすべり止めローレットが設けられている、請求項１から４のいずれかの項に記載のウエスト調節具。
【請求項６】
前記スライダーの前記収納部と対向する面に、固定具の固定具爪を挿通するための固定具挿通孔が設けられている、請求項１から５のいずれかの項に記載のウエスト調節具。
【発明の詳細な説明】
【０００１】
【発明の属する技術分野】
本発明は、ウエスト調節具に関する。さらに詳細には、ズボン、スカートなどにおけるウエストベルトの長さを調節できる、ウエスト調節具に関する。
【０００２】
【従来の技術】
肥満あるいは痩身によって、ズボン、スカートなどが着用できなくなることがある。そのため、ウエストベルトを調節できるウエスト調節具が開発されている。例えば、特開２００１−３２１２２号公報には、図６に示すように、調節ベルト上に上下二段の調節突部を列設し、スライダーに挿通部を設けるとともに、スライダーの裏面板の中央に縦長の透孔を設け、この透孔の両側に調節突部と係合できる係止突部を上下二個突設し、透孔の下部に突条の当接部と、その下部に空隙部を設けてなるウエスト調節具が記載されている。しかし、このウエスト調節具は、調節ベルトを下方に押し下げて、あるいはスライダーを引き上げて、係合を解除しなければならないため、きつく締めると調節ベルトの押し下げ、またはスライダーの引き上げが困難となる。さらに、着用中の調節ベルトが空隙部に下がり落ちて係合が解除され、調節が利かなくなるという問題がある。
【０００３】
また、近年、空港などのセキュリティー検査において、バックル、金口、ベルト調節具あるいはウエスト調節具が、金属探知機に反応するため、金属をできるだけ使用しないことが検討されており、さらにウエスト調節具の軽量化も求められている。
【０００４】
【発明が解決しようとする課題】
本発明は、上記課題を解決するためになされたものであり、その目的とするところは、ウエスト調節が簡便な操作で行われ、かつ確実に調節ベルトを係止し得るウエスト調節具を提供することにある。さらに、ウエスト調節具を金属探知機に反応せず、かつ軽量化することをも目的とする。
【０００５】
【課題を解決するための手段】
本発明は、調節ベルトと、スライダーとを備えたウエスト調節具であって、
該調節ベルトには、表面に突出する調節突部が複数個、一定間隔で長手方向にほぼ垂直に配置されており、
該スライダーの側面には、該調節ベルトを挿通させるための挿通部が設けられ、前面には、透孔が設けられ、該透孔と裏面との間に形成された中空状の収納部には、ストッパーおよび押え板が備えられ、
該ストッパーは、弾性材料からなるプレートであって、その一端に該調節突部と係合し得るストッパー突起が設けられ、該ストッパー突起が該調節突部とスライダー内で係合するように、該収納部の壁内に固定されており、
該押え板は、調節ベルトを係止する係止位置および調節ベルトの係止を開放する係止開放位置に移動可能なように収納部に収納されており、
調節ベルトがスライダー内に挿通された状態で、該押え板を係止開放位置に移動させて調節ベルトの係止を開放し、スライダーを移動させてベルトの長さを調整した後、押え板を係止位置に移動させて調節ベルトを係止するように構成されている、ウエスト調節具を提供する。
【０００６】
好ましい実施態様において、本発明のウエスト調節具は、前記押え板が、前記スライダーにおいて、前記収納部の上部および下部の壁内に設けられた押え板内部移動溝に沿って移動するように構成されている。
【０００７】
別の好ましい実施態様において、本発明のウエスト調節具は、前記スライダーにおいて、前記収納部の上部または下部の、少なくとも一方の壁内にバネ受けとバネ受け突起が設けられ、そして、前記押え板の上部または下部の少なくとも一方にバネ受け孔が設けられ、該バネ受け突起に配置されたバネの一端が該バネ受け孔に収納された構成を有しており、該押え板を係止開放位置に移動させて調節ベルトの長さを調節した後、該押え板を強制的に係止位置に戻すように構成されている。
【０００８】
また、別の好ましい実施態様において、本発明のウエスト調節具は、前記押え板が、前記スライダーの上面および下面に形成された押え板外部移動溝に沿って移動可能に構成されている。
【０００９】
好ましい実施態様において、前記ウエスト調節具の押え板の、ストッパーと当接しない面にすべり止めローレットが設けられている。
【００１０】
さらに好ましい実施態様においては、前記ウエスト調節具の前記スライダーの前記収納部と対向する面に、固定具の固定具爪を挿通するための固定具挿通孔が設けられている。
【００１１】
【発明の実施の形態】
本発明のウエスト調節具を、図面を参照しながら説明する。本発明の第１実施態様のウエスト調節具を図１に示す。図１ａに示すように、このウエスト調節具は、調節ベルト１と、スライダー２とを備えている。調節ベルト１には、表面に突出する調節突部１１が複数個、一定間隔で長手方向にほぼ垂直に配置されている。調節ベルト１は共生地６に取りつけられて使用される。
【００１２】
スライダー２の側面には、調節ベルト１を挿通させるための挿通部２１が設けられ、前面９１には、透孔が設けられ、該透孔と裏面との間に形成された中空状の収納部２２には、ストッパー３および押え板４が備えられている。
【００１３】
図１ｂは、調節ベルト１をスライダー２に挿通した状態で、押え板４が係止開放位置にある場合のＡ−Ａ線断面図である。図１ｃは、調節ベルト１をスライダー２に挿通した状態で、押え板４が係止位置にある場合のＡ−Ａ線断面図である。これらの図１ｂおよび図１ｃにおいて、ストッパー３は、弾性材料からなるプレートであって、その一端に調節突部１１と係合し得るストッパー突起３１が設けられている。そして、ストッパー３は、ストッパー突起３１が調節突部１１とスライダー内で係合するように、収納部２２の壁内に固定されている。
【００１４】
ストッパー３は、バネ特性を有する弾性材料で構成されている。図１ｂに示すように押え板４が係止開放位置にある場合、スライダー２を移動させると、ストッパー３のストッパー突起３１が調節突部１１ａと当接し、弾性力により調節突部１１ａの上方向に押し上げられる。押し上げられたストッパー突起３１は、さらにスライダー２が移動すると、調節突部１１ａと調節突部１１ｂとの間隙に、弾性力により、自力で配置される。
【００１５】
ストッパー突起３１の形状は、特に制限はないが、先端の断面形状を、丸みを帯びた形状、あるいは下辺が短い台形の形状とすることが好ましい。このように構成することで、ストッパー突起３１と調節突部１１とが係合したときに、ストッパー突起３１と調節突部１１と接触部分が大きくなる。その結果、ウエスト調節具の引っ張り耐性が高くなり、強い係合が保たれる。また、このような形状にすることにより、スライダーの移動が軽く、スムーズに行われるという効果も奏する。従って、スライダー２がスムーズに移動でき、かつ、引っ張り耐性も大きくなるので、ウエスト調節具自体を小さくしても、十分、使用に耐えることができる。
【００１６】
弾性力を有するストッパー３の材料としては、樹脂が好ましく用いられる。なかでも、ポリアセタール、ポリプロピレン、ポリアミド、ポリブチレンテレフタレートなどの熱可塑性樹脂が好ましく用いられる。
【００１７】
押え板４は、収納部２２に、図１ｂあるいは図１ｃにおいて、左右方向に移動可能に収納されている。図１ｂの位置、すなわち、押え板４が図の左側に位置するとき、押え板４は係止開放位置にあり、図１ｃの位置、すなわち、押え板４が図の右側に位置するとき、押え板４は係止位置にある。
【００１８】
図１ｂは、押え板４が係止開放位置にあるときの状態である。この状態でスライダー２を移動させると、上述のように、バネ特性を有するストッパー突起３１が調節突部１１ａと当接し、上方に押し上げられ、ついで、自力で（バネ特性を利用して）調節突部１１ａと１１ｂとの間隙に入る。このようにして、スライダー２が移動できる。
【００１９】
図１ｃは、押え板４が係止位置にあるときの状態である。スライダー２を移動させて、ストッパー突起３１が、調節突部１１ａと１１ｂとの間隙に入った状態で、図１ｃに示すように、押え板４を左側から右側に移動させると、押え板４がストッパー３を押圧する。この状態では、弾性力を有するストッパー３のストッパー突起３１が、押え板４により、上方に移動できないため、スライダー２を移動させることができない。従って、ストッパー突起３１と調節突部１１とが係合したまま固定され、調節ベルト１が係止される。押え板４を図１ｃの左側に移動させると、図１ｂの状態になり、ストッパー３の押圧が解除され、スライダー２が移動可能となる。
【００２０】
この押え板４は、図１ａに示すように、スライダー２内において、収納部２２の上部および下部の壁内に設けられた押え板内部移動溝２６に沿って移動するように構成されていることが好ましい。具体的には、図１ａのＢ−Ｂ線断面図である図１ｄに示すように、収納部２２の上部および下部に押え板内部移動溝２６を設け、この移動溝２６に押え板４の押え板取付端部４４が挿嵌されている。すなわち、押え板４が移動溝２６に沿って移動可能なように構成されている。
【００２１】
本発明のウエスト調節具のスライダー２は、裏面９２でウエストベルト７に取り付けられている。このスライダー２を調節ベルト１に沿って移動させることにより、ウエストを調節する。スライダー２をウエストベルト７に固定する場合を、図１ａのＢ−Ｂ線断面図である図１ｄを用いて説明する。固定具５の固定爪５１でウエストベルト７を貫通し、この固定爪５１を裏面９２に設けられた固定爪挿通孔２８からスライダー２の収納部２２内に挿通し、収納部内に挿通された固定爪５１を折り曲げて、爪収納部２９に収納する。
【００２２】
さらに、図１ｂ、図１ｃにおいて押え板４の上面（ストッパー３と当接しない面）に、すべり止めを設け、押え板４の移動をスムーズにすることができる。
【００２３】
本発明の第２実施態様のウエスト調節具は、第１実施態様のウエスト調節具において、押え板４を、バネを用いて強制的に係止位置に留め、堅固な係合が維持されるように構成されている。第２実施態様のスライダー２を図２に示す。図２ａは、第２実施態様のスライダー２の正面図である。図２ａに示すように、収納部２２の上部および下部に押え板内部移動溝２６が設けられ、上記図１ｄで説明したように、この押え板内部移動溝２６には、押え板４が移動可能に配置されている。また、収納部２２の上部または下部の、少なくとも一方の壁内にバネ受け２４１とバネ受け突起２４が設けられている（図２ａでは上部および下部に設けられている）。このバネ受け突起２４にバネ２５を配置し、そのバネ２５の一端を、押え板４の先端部に設けられたバネ受け孔４１に挿入することにより、押え板４を、バネ２５の弾性を利用して、強制的に係止位置に留め、堅固な係合が維持されるように構成したものである。
【００２４】
図２ｂは、図２ａの押え板４を表面（ストッパー３と当接しない面）から見た平面図であり、この表面には、すべり止めの観点から、ローレット４２が設けられている。このローレット４２は、図２ｂのＤ−Ｄ線断面図である図２ｃに示す形状の突起を有している。さらに、押え板４の両端部近辺には、図２ｂに示すように、バネ受け孔４１が設けられている。このバネ受け孔４１には、バネ受け２４１のバネ受け突起２４に配置されたバネ２５の一端が挿入される。このバネ受け孔４１の断面構造は、Ｅ−Ｅ線断面図である図２ｄに示される。
【００２５】
図２ｅは、図２ａのＣ−Ｃ線断面図である。収納部２２の上部に設けられたバネ受け２４１のバネ受け突起２４には、バネ２５が配置されている。このバネ２５の一端は、押え板４に設けられたバネ受け孔４１（図２ｂ、図２ｄ参照）に収納され、他端は、バネ受け２４１に配置されている。図２ｅは、押え板４が係止開放状態にある図である。すなわち、手で押え板４を右側に移動させ、スライダー２を移動させて長さを調整するときの状態である。長さの調整が終わり、手を離すと、図２ｆに示すように、押え板４は、バネ２５の反発力で、係止位置に強制的に戻される。そして、バネの力により、押え板４を強制的に係止位置に留めるため、ストッパー突起３１と調節突部１１との係合が堅固に維持される。
【００２６】
本発明の第３実施態様のウエスト調節具は、第１あるいは第２実施態様のウエスト調節具においてスライダー２の押え板４を外部から配置する構成としたものである。第３実施態様のスライダー２を図３に示す。図３ａは、第３実施態様のスライダー２の正面図、図３ｂは図３ａの上面図、図３ｃは図３ａのＦ−Ｆ線断面図である。図３ａおよび図３ｂに示すように、スライダー２の上面および下面に、押え板外部移動溝２７と押え板止め２７１が設けられている。押え板４は、図３ｃに示される断面構造を有しており、押え板取付端部４４を備えている。図３ａの押え板外部移動溝２７の左端から、あるいはスライダー２の前面から、押え板取付端部４４を押え板外部移動溝２７に嵌合することにより、押え板４がスライダー２に取り付けられる。この押え板外部移動溝２７に沿って、押え板４が移動する。押え板止め２７１が、押え板４が押え板外部移動溝２７から脱落するのを防止している。図３ｂは、図３ａの上面図である。押え板止め２７１は小突部であることが好ましい。
【００２７】
この第３実施態様のスライダー２は、押え板４の一部がスライダー２の外部に突出しているので、押え板４を移動させる操作が容易となる。
【００２８】
本発明の第４実施態様のウエスト調節具は、第２実施態様のバネを用いるウエスト調節具の別の態様である。第４実施態様のスライダー２を図４に示す。図４ａは、第４実施態様のスライダー２の正面図であり、図４ｂは、第４実施態様のスライダー２に取りつけられる押え板４の表面（ストッパー３と当設しない面）から見た平面図である。押え板４は、押え板取付端部４４にバネ受け部位４３を有し、すべり止めのためにローレット４２が設けられている。図４ｃは、図４ａのＧ−Ｇ線断面図である。
【００２９】
スライダー２の収納部２２の上部には、実施態様２と同様のバネ受け突起２４とこのバネ受け突起２４に配置されたバネ２５（図示せず）が備えられている。さらに、収納部２２の上部と下部には、押え板内部移動溝２６が設けられている。この移動溝２６は蟻溝であり、押え板４が外側から（図４ａでは左側から）、強制的に挿入されるように構成されている。移動溝２６の外側に近い部位には押え板止め２６１が設けられている。この押え板止め２６１は、小突起であり、押え板４の挿入させるが、挿入された押え板４が抜けないように、構成されている。
【００３０】
押え板４は、すべり止めローレット４２を有する面がストッパー３と当接しないように、押え板４の押え板取付端部４４を移動溝２６（蟻溝）に挿入することにより、スライダー２の収納部２２に収納される。図４ｃは、このようにして移動溝２６に収納された押え板４を示す断面図である。押え板４４を挿入した後、バネ２５を、バネ２５の一端がバネ受け部位４３に収納されるように、バネ受け突起２４に配置することにより、第４実施態様のスライダー２が構成される。このスライダー２は、第２実施態様のスライダーと同様、スライダー２を移動させ、手を離したときに、バネ２５の反発力で押え板４が係止位置に強制的に配置される。また、バネの力により、押え板４を強制的に係止位置に留めるため、ストッパー突起３１と調節突部１１との係合が堅固に維持される。
【００３１】
本発明のウエスト調節具は、軽量化、および、できるだけ金属を用いない観点から、できるだけ樹脂を用いることが好ましい。また、本発明のウエスト調節具は、構造が簡単なため、射出成形で一体化して成形される。スライダー２、押え板４などは、強度が要求されるため、耐磨耗性、機械的強度に優れたエンジニアリング樹脂が用いられる。また、ガラス繊維などを配合した複合樹脂が、耐磨耗性、機械的強度の観点から、好適に用いられる。
【００３２】
本発明のウエスト調節具の、スライダー２は固定具５を用いてウエストベルト７に取り付けられるが、固定具５は樹脂（例えば、ポリアセタール樹脂）製でもよく、金属（真鍮）製であってもよい。ただし、金属を用いる場合、金属探知機に反応しないように、メッキすることが好ましい。例えば、株式会社シミズ製の商品名ロイヤル・ホワイトでメッキすることにより、金属探知機に反応しにくくなる。
【００３３】
【作用】
本発明のウエスト調節具は、調節突部１１およびストッパー３のストッパー突起３１とがほとんど隙間なく密接に係合するため、引っ張り耐性が高くなり、強い係合が保たれる。従って、ウエスト調節具自体を小さくしても、十分、使用に耐え得る。さらに、ストッパー３として弾性材料を用いているので、スライダーの移動が軽く、スムーズに行われる。また、バネを配置した場合、バネの力により、押え板４を強制的に係止位置に留めるため、ストッパー突起３１と調節突部１１との係合が堅固に維持される。
【００３４】
【実施例】
本発明のウエスト調節具を組立てた。図５ａは、第２実施態様のウエスト調節具の組立図であり、図５ｂは、組立てられたウエスト調節具の斜視図である。図５ａに示す形状のスライダー２をポリアセタール樹脂で一体成形した。スライダー２は、挿通部２１と、収納部２２と、上部にバネ受け突起２４とを備え、ストッパー突起３１を有するストッパー３を挿通部２１の片側に配置した。ウエストベルト７の裏側から固定具５の固定爪５１を挿通して、固定爪５を固定具挿通孔（図示せず）から収納部２２内に通し、固定爪を折り曲げ（樹脂の場合は爪先端を圧縮機でプレスして）、爪収納部（図示せず）内に収納することにより、スライダー２をウエストベルト７に固定した。スライダー２の収納部２２に押え板４を挿入し、スライダー２の上部に設けられたバネ受け２４１のバネ受け突起２４にバネ２５を配置し、バネ２５の一端を押え板４にバネ受け孔４１に挿入することによって、本発明のウエスト調節具を組立てた（図５ｂ）。図５ｂに示すウエスト調節具は、係止状態である。押え板４を指で係止開放位置に移動させることにより、係止が開放される。スライダー２を移動させて調節ベルトの長さを調節した後、指を離すと、押え板４は、バネの力により、図５ｂの係止位置に戻り、強制的に押え板４を係止位置に留めた。
【００３５】
【発明の効果】
本発明のウエスト調節具は、一定間隔で調節突部を設けた調節ベルトをスライダー内に挿通し、このスライダー内に、ストッパー突起を有するストッパーと、ストッパーの押え板を配置し、押え板を係止位置にスライドさせることによって、ストッパー突起と調節突部とが係合され、係止開放位置にスライドさせることにより、係合が開放されるように構成されている。押え板を係止位置にスライドすると、調節突部とストッパー突起とがほとんど隙間なく密接に係合するため、引っ張り耐性が高くなり、強い係合が保たれる。また、ストッパー突起の断面形状に丸みをもたせ、あるいは台形とすることにより、スライダーの移動がスムーズになる。従って、ウエスト調節具のスライダーがスムーズに移動するため操作も容易であり、ウエスト調節具自体を小さくしても、十分、使用に耐え得る。また、樹脂で作成できるので、軽量であり、金属探知機で探知されることもない。
【図面の簡単な説明】
【図１】図１ａは、本発明の第１実施態様のウエスト調節具を示す図である。図１ｂおよび図１ｃは、調節ベルトをスライダーに挿通した状態における図１ａのＡ−Ａ線断面図である。
【図２】図２は、第２実施態様のウエスト調節具におけるスライダーを示す図である。図２ａは、スライダーの正面図、図２ｂは図２ａの押え板４を表面から見た平面図、図２ｃは図２ｂのＤ−Ｄ線断面図、図２ｄは図２ｂのＥ−Ｅ線断面図、図２ｅは図２ａのＣ−Ｃ線断面図、および図２ｆは図２ｅの異なる態様を示す図である。
【図３】図３は、第３実施態様のウエスト調節具におけるスライダーを示す図である。図３ａは、第３実施態様のスライダーの正面図、図３ｂは図３ａの上面図、図３ｃは図３ａのＦ−Ｆ線断面図である。
【図４】図４は、第４実施態様のウエスト調節具におけるスライダーを示す図である。図４ａはスライダーの正面図であり、図４ｂはスライダー２に取りつけられる押え板の表面から見た平面図である。図４ｃは、図４ａのＧ−Ｇ線断面図である。
【図５】図５は、本発明のウエスト調節具の製造を示す模式図である。図５ａは第２実施態様のウエスト調節具の組立図であり、図５ｂは組立てられたウエスト調節具の斜視図である。
【図６】従来のウエスト調節具を示す図である。
【符号の説明】
１　調節ベルト
１１　調節突部
２　スライダー
２１　挿通部
２２　収納部
２３　突起
２４　バネ受け突起
２４１　バネ受け
２５　バネ
２６　押え板内部移動溝
２６１　押え板止め
２７　押え板外部移動溝
２７１　押え板止め
２８　固定具挿通孔
２９　爪収納部
３　ストッパー
３１　ストッパー突起
４　押え板
４１　バネ受け孔
４２　すべり止めローレット
４３　バネ受け部位
４４　押え板取付端部
５　固定具
５１　固定具爪
６　共生地
７　ウエストベルト
９１　前面
９２　裏面
【図１】
2004044021.tif 000003
【図２】
2004044021.tif 000004
【図３】
2004044021.tif 000005
【図４】
2004044021.tif 000006
【図５】
2004044021.tif 000007
【図６】
2004044021.tif 000008